(57)【要約】【課題】均等に圧縮させることができて、被収納物品に不規則な皺がつきにくい圧縮袋を提供する。【解決手段】被収納物品を配位可能な空間を有する収納部１３と、この収納部１３に対して被収納物品を出し入れ可能な開口部１４とを有し、正面部１１と背面部１２との間の少なくとも一部には襠部１５が設けられており、平板状の押圧板２が、上記収納部１３の内部であって、上記正面部１１及び背面部１２の内面に当接可能に設けられたものであり、この押圧板２は、収納部１３が脱気されるに伴い、被収納物品を正面部側と背面部側とから押圧できる程度の剛性を有していることを特徴とする圧縮袋を提供する。【選択図】図１
2009023700.tif 000002
【特許請求の範囲】
【請求項１】
内部を脱気することのできる、合成樹脂製のシートからなる袋体であって、
対向する正面部（１１）と背面部（１２）とを有し、
被収納物品（Ｍ）を配位可能な空間を有する収納部（１３）と、この収納部（１３）に対して被収納物品（Ｍ）を出し入れ可能な開口部（１４）とを有し、
上記の正面部（１１）と背面部（１２）との間の少なくとも一部には、正面部（１１）の端縁と背面部（１２）の端縁とを連結するようにして襠部（１５）が設けられており、
この襠部（１５）は、合成樹脂製のシートが折り目（１５ａ）を境に折り畳み可能に形成されたものであり、被収納物品（Ｍ）を収納部（１３）へと配位した際には、上記の折り目（１５ａ）が延ばされることによって、収納部（１３）における内部空間が拡張できるものであり、
平板状の押圧板（２）が、上記収納部（１３）の内部であって、上記正面部（１１）及び背面部（１２）の内面に当接可能に設けられたものであり、
この押圧板（２）は、収納部（１３）が脱気されるに伴い、被収納物品（Ｍ）を正面部側と背面部側とから押圧できる程度の剛性を有していることを特徴とする圧縮袋。
【請求項２】
上記の開口部（１４）が、正面部（１１）あるいは背面部（１２）の端縁と襠部（１５）の端縁との間に設けられたものであり、
凸条と凹条との嵌合により気密に閉鎖可能なチャック（１４ａ）が備えられたことを特徴とする、請求項１に記載の圧縮袋。
【請求項３】
正面部（１１）と背面部（１２）のうち一方の幅寸法が、同他方の幅寸法よりも大きくされたものであり、
上記正面部（１１）と背面部（１２）のうち一方と他方とは、幅方向における一端側端縁が一致するようにして対向しており、
幅方向における他端側端縁に上記の開口部（１４）が設けられており、
これにより、上記の開口部（１４）が設けられた部分の位置が、開口部（１４）が設けられていない側の、他の正面部（１１）あるいは背面部（１２）の端縁と襠部（１５）の端縁の位置よりも、上記幅方向における外側に突出するものであることを特徴とする、請求項２に記載の圧縮袋。
【請求項４】
上記の収納部（１３）を脱気するための脱気弁（３）が、正面部（１１）あるいは背面部（１２）に設けられたものであって、
上記の押圧板（２）における、上記の脱気弁（３）が一致する位置に、通気可能とされた貫通穴（２１）が形成されたことを特徴とする、請求項１〜３のいずれかに記載の圧縮袋。
【請求項５】
上記の押圧板（２）に、ブロック状、シート状、あるいは小袋に収納された状態の防虫剤を配位することのできる、防虫剤配位部（２２）が設けられたことを特徴とする、請求項１〜３のいずれかに記載の圧縮袋。
【請求項６】
上記の押圧板（２）が防虫成分を含有し、この防虫成分が表面から放散可能とされたことを特徴とする、請求項１〜３のいずれかに記載の圧縮袋。
【請求項７】
上記の襠部（１５）のうち、折り目（１５ａ）に沿う方向の両端部において、正面部（１１）に対して接着された端縁（１５ｓ）と、背面部（１２）に対して接着された端縁（１５ｓ）とが接着されて一体とされたことを特徴とする、請求項１〜３のいずれかに記載の圧縮袋。
【請求項８】
持手として、あるいは持手を支持するために用いるための貫通穴（４１）が、上記の正面部（１１）と背面部（１２）とを貫通するように設けられたものであって、
この貫通穴（４１）が、上記の収納部（１３）とは通気不可能に仕切られた部分に設けられたことを特徴とする、請求項１〜３のいずれかに記載の圧縮袋。
【請求項９】
吊り下げを可能とするためのフック部分（７１）を備えたハンガー部材（７）が取り付けられたことを特徴とする、請求項１〜３のいずれかに記載の圧縮袋。
【請求項１０】
上記のハンガー部材（７）が、袋外に設けられたフック部分（７１）と、袋内に設けられており、被収納物品（Ｍ）を吊り下げることのできる袋内吊りリング（７３）と、上記の正面部（１１）と背面部（１２）とに挟まれて接着された支持部分（７２）とを備えており、
上記の支持部分（７２）に対し、フック部分（７１）と袋内吊りリング（７３）の各々が回動可能に接続されていることを特徴とする、請求項９に記載の圧縮袋。
【請求項１１】
上記の正面部（１１）と背面部（１２）の少なくとも一方の表面、あるいは押圧板（２）における、外部から視認可能な表面に、被収納物品（Ｍ）の内容などを記載可能な表記部（５）を備えたことを特徴とする、請求項１〜３のいずれかに記載の圧縮袋。
【請求項１２】
面ファスナー付テープ（６）が備えられたものであり、
この面ファスナー付テープ（６）は、袋の外周に巻きつけられて用いられることを特徴とする、請求項１〜３のいずれかに記載の圧縮袋。
【発明の詳細な説明】
【技術分野】
【０００１】
本願発明は、衣類などを収納するための圧縮袋に関するものである。
【背景技術】
【０００２】
【特許文献１】特許第３５６３７１３号公報
【０００３】
従来から、衣類などの比較的嵩張る物品を収納して、内部を脱気することにより圧縮し、コンパクトに収納することのできる圧縮袋が存在している。
【０００４】
ここで、特許文献１では、襠部を周囲に設けたことにより容量を拡大できる袋が提案されている。
【発明の開示】
【発明が解決しようとする課題】
【０００５】
ところが、従来から存在した圧縮袋は、内部を単に脱気するという機能しかなかったため、収納された衣服などの被収納物品に不規則な皺がついてしまい、袋から取り出してもそのまま着用できず、アイロンがけなどが必要になる場合があった。
【０００６】
また、脱気後の状態における袋の厚みに部分的な差異ができてしまうことがあり、例えば脱気後の袋を積み重ねてクローゼットなどに収納しようとしても、バランスが崩れてしまってうまく収納できないという問題があった。またこれに関連して、脱気後の袋を立てかけて収納可能とできればより便利である。
【０００７】
また、衣服を収納する際には、防虫剤を袋内に入れることがあるが、その際において防虫剤が袋内に紛れ込んでしまわないような構造とできれば便利であり、さらには、ユーザーが別途防虫剤を購入する必要がなく、防虫機能を発揮させることが可能な圧縮袋があればより便利である。
【０００８】
また、開口部の開閉が容易であって被収納物品の出し入れを簡単に行うことができ、脱気がスムーズにでき、被収納物品の収納時であっても美観を損ねず、移動時や保管時にも取り扱い易く、吊り下げ容易であり、ハンガーなどに吊り下げたままで被収納物品を収納でき、被収納物品の明細を一目で識別でき、複数の圧縮袋を一まとめにしたり、長期に渡る保存によって脱気状態が失われた場合であっても、膨張をある程度抑えることができる圧縮袋が望まれている。
【０００９】
本願発明は上記のことに鑑み、均等に圧縮させることができて、被収納物品に不規則な皺がつきにくい圧縮袋を提供することを課題とする。
【００１０】
また、収納容易である圧縮袋を提供することを課題とする。
【００１１】
また、防虫剤が袋内に紛れ込んでしまわないような構造を提供すること、さらには、ユーザーが別途防虫剤を購入する必要がなく、防虫機能を発揮させることが可能な圧縮袋を提供することを課題とする。
【００１２】
また、上記の他に、開口部の開閉が容易であって、被収納物品の出し入れを簡単に行うことができ、脱気がスムーズにでき、被収納物品の収納時であっても美観を損ねず、移動時や保管時にも取り扱い易く、吊り下げ容易であり、ハンガーなどに吊り下げたままで被収納物品を収納でき、被収納物品の明細を一目で識別でき、複数の圧縮袋を一まとめにしたり、長期に渡る保存によって脱気状態が失われた場合であっても、膨張をある程度抑えることができる圧縮袋を提供することを課題とする。
【課題を解決するための手段】
【００１３】
上記の課題を解決するために、本願の請求項１に係る発明は、内部を脱気することのできる、合成樹脂製のシートからなる袋体であって、対向する正面部１１と背面部１２とを有し、被収納物品Ｍを配位可能な空間を有する収納部１３と、この収納部１３に対して被収納物品Ｍを出し入れ可能な開口部１４とを有し、上記の正面部１１と背面部１２との間の少なくとも一部には、正面部１１の端縁と背面部１２の端縁とを連結するようにして襠部１５が設けられており、この襠部１５は、合成樹脂製のシートが折り目１５ａを境に折り畳み可能に形成されたものであり、被収納物品Ｍを収納部１３へと配位した際には、上記の折り目１５ａが延ばされることによって、収納部１３における内部空間が拡張できるものであり、平板状の押圧板２が、上記収納部１３の内部であって、上記正面部１１及び背面部１２の内面に当接可能に設けられたものであり、この押圧板２は、収納部１３が脱気されるに伴い、被収納物品Ｍを正面部側と背面部側とから押圧できる程度の剛性を有していることを特徴とする圧縮袋を提供する。
【００１４】
また、本願の請求項２に係る発明は、上記の開口部１４が、正面部１１あるいは背面部１２の端縁と襠部１５の端縁との間に設けられたものであり、凸条と凹条との嵌合により気密に閉鎖可能なチャック１４ａが備えられたことを特徴とする、請求項１に記載の圧縮袋を提供する。
【００１５】
また、本願の請求項３に係る発明は、正面部１１と背面部１２のうち一方の幅寸法が、同他方の幅寸法よりも大きくされたものであり、上記正面部１１と背面部１２のうち一方と他方とは、幅方向における一端側端縁が一致するようにして対向しており、幅方向における他端側端縁に上記の開口部１４が設けられており、これにより、上記の開口部１４が設けられた部分の位置が、開口部１４が設けられていない側の、他の正面部１１あるいは背面部１２の端縁と襠部１５の端縁の位置よりも、上記幅方向における外側に突出するものであることを特徴とする、請求項２に記載の圧縮袋を提供する。
【００１６】
また、本願の請求項４に係る発明は、上記の収納部１３を脱気するための脱気弁３が、正面部１１あるいは背面部１２に設けられたものであって、上記の押圧板２における、上記の脱気弁３が一致する位置に、通気可能とされた貫通穴２１が形成されたことを特徴とする、請求項１〜３のいずれかに記載の圧縮袋を提供する。
【００１７】
また、本願の請求項５に係る発明は、上記の押圧板２に、ブロック状、シート状、あるいは小袋に収納された状態の防虫剤を配位することのできる、防虫剤配位部２２が設けられたことを特徴とする、請求項１〜３のいずれかに記載の圧縮袋を提供する。
【００１８】
また、本願の請求項６に係る発明は、上記の押圧板２が防虫成分を含有し、この防虫成分が表面から放散可能とされたことを特徴とする、請求項１〜３のいずれかに記載の圧縮袋を提供する。
【００１９】
また、本願の請求項７に係る発明は、上記の襠部１５のうち、折り目１５ａに沿う方向の両端部において、正面部１１に対して接着された端縁１５ｓと、背面部１２に対して接着された端縁１５ｓとが接着されて一体とされたことを特徴とする、請求項１〜３のいずれかに記載の圧縮袋を提供する。
【００２０】
また、本願の請求項８に係る発明は、持手として、あるいは持手を支持するために用いるための貫通穴４１が、上記の正面部１１と背面部１２とを貫通するように設けられたものであって、この貫通穴４１が、上記の収納部１３とは通気不可能に仕切られた部分に設けられたことを特徴とする、請求項１〜３のいずれかに記載の圧縮袋を提供する。
【００２１】
また、本願の請求項９に係る発明は、吊り下げを可能とするためのフック部分７１を備えたハンガー部材７が取り付けられたことを特徴とする、請求項１〜３のいずれかに記載の圧縮袋を提供する。
【００２２】
また、本願の請求項１０に係る発明は、上記のハンガー部材７が、袋外に設けられたフック部分７１と、袋内に設けられており、被収納物品Ｍを吊り下げることのできる袋内吊りリング７３と、上記の正面部１１と背面部１２とに挟まれて接着された支持部分７２とを備えており、上記の支持部分７２に対し、フック部分７１と袋内吊りリング７３の各々が回動可能に接続されていることを特徴とする、請求項９に記載の圧縮袋を提供する。
【００２３】
また、本願の請求項１１に係る発明は、上記の正面部１１と背面部１２の少なくとも一方の表面、あるいは押圧板２における、外部から視認可能な表面に、被収納物品Ｍの内容などを記載可能な表記部５を備えたことを特徴とする、請求項１〜３のいずれかに記載の圧縮袋を提供する。
【００２４】
また、本願の請求項１２に係る発明は、面ファスナー付テープ６が備えられたものであり、この面ファスナー付テープ６は、袋の外周に巻きつけられて用いられることを特徴とする、請求項１〜３のいずれかに記載の圧縮袋を提供する。
【発明の効果】
【００２５】
本願の請求項１に係る発明においては、平板状の押圧板２が、収納部１３の内部であって、上記正面部１１及び背面部１２の内面に当接可能に設けられたことにより、収納部１３を脱気した際には、押圧板２が被収納物品Ｍを均等に押圧することができる。そのため、衣服を被収納物品Ｍとして収納した場合であっても、不規則な皺がつきにくく、美しい状態で保管することができる。また、脱気後の圧縮袋１はほぼ均等な厚みを有するものとできるため、積み重ねなどが容易にできる。また、圧縮袋を立てかけて収納することも可能である。
【００２６】
本願の請求項２に係る発明においては、請求項１に係る発明の効果に加え、チャック１４ａが備えられた開口部１４が設けられたことにより、開口部１４の開閉を容易にでき、被収納物品Ｍの出し入れも簡単にできる。
【００２７】
本願の請求項３に係る発明においては、請求項２に係る発明の効果に加え、開口部１４が幅方向における外側に突出するものであることにより、脱気時において襠部１５が畳まれた状態にあっても、襠部１５のうち開口部１４の設けられた側の端縁と、反対側の端縁とが重なり合わないものとできるため、開口部１４のみを手で持って開放することが容易にでき、被収納物品Ｍの出し入れをより簡単に行うことができる。
【００２８】
また、本願の請求項４に係る発明は、請求項１〜３のいずれかに係る発明の効果に加え、脱気弁３が、正面部１１あるいは背面部１２に設けられた場合にあって、押圧板２における、上記の脱気弁３が一致する位置に、通気可能とされた貫通穴２１が形成されたことにより、スムーズに脱気を行うことができる。
【００２９】
また、本願の請求項５に係る発明は、請求項１〜３のいずれかに係る発明の効果に加え、押圧板２に、ブロック状、シート状、あるいは小袋に収納された状態の防虫剤を配位することのできる防虫剤配位部２２が設けられたことにより、防虫剤が袋内に紛れ込んでしまわないようにできる。
【００３０】
また、本願の請求項６に係る発明は、請求項１〜３のいずれかに係る発明の効果に加え、押圧板２が防虫成分を含有し、この防虫成分が表面から放散可能とされたことから、ユーザーが別途防虫剤を購入する必要がなく、防虫機能を発揮させることが可能である。
【００３１】
また、本願の請求項７に係る発明は、請求項１〜３のいずれかに係る発明の効果に加え、襠部１５のうち、折り目１５ａに沿う方向の両端部において、正面部に対して接着された端縁１５ｓと、背面部に対して接着された端縁１５ｓとが接着されていることにより、収納部１３に被収納物品Ｍを配位した場合にあっても、この部分において襠部１５が広がってしまうことで美観を損ねてしまうことを防止できる。
【００３２】
また、本願の請求項８に係る発明は、請求項１〜３のいずれかに係る発明の効果に加え、持手として、あるいは持手を支持するために用いるための貫通穴４１が設けられたことにより、移動時や保管時にも扱い易い圧縮袋を提供できたものである。
【００３３】
また、本願の請求項９に係る発明は、請求項１〜３のいずれかに係る発明の効果に加え、フック部分７１を備えたハンガー部材７が取り付けられたことにより、吊り下げ容易な圧縮袋を提供できたものである。
【００３４】
また、本願の請求項１０に係る発明は、請求項９に係る発明の効果に加え、袋内吊りリング７３が備えられたことにより、ハンガーなどに吊り下げたままで被収納物品Ｍを収納できる圧縮袋を提供できたものである。
【００３５】
また、本願の請求項１１に係る発明は、請求項１〜３のいずれかに係る発明の効果に加え、正面部１１と背面部１２の少なくとも一方の表面、あるいは押圧板２における、外部から視認可能な表面に、被収納物品Ｍの内容などを記載可能な表記部５を備えたことにより、被収納物品Ｍの明細を一目で識別することができる。
【００３６】
また、本願の請求項１２に係る発明は、請求項１〜３のいずれかに係る発明の効果に加え、面ファスナー付テープ６が備えられたものであり、この面ファスナー付テープ６が袋の外周に巻きつけられて用いられることにより、この面ファスナー付テープ６を持手として使用することができ、また、複数の圧縮袋１をまとめることもでき、また、長期に渡る保存によって、収納部１３の脱気状態が失われた場合であっても、圧縮袋１の膨張をある程度は抑えることができる。
【発明を実施するための最良の形態】
【００３７】
以下、本願発明の一実施例をとりあげて説明する。本実施例に係る圧縮袋の基本構造は、特許文献１などに示された従来のものと同様であり、図１に示すように、内部を脱気することのできる、合成樹脂製のシートからなる袋体とされ、被収納物品Ｍを内部の空間に配位可能な収納部１３と、この収納部１３に対して被収納物品Ｍを出し入れ可能な開口部１４とが設けられている。なお、袋体を構成するシートは、例えば、プラスチックフィルムがラミネートされてなる多層構造を有するものであって、空気・ガスバリヤー性を有するものとされている。この多層構造は、共押し出しフィルムからなるものであっても良い。また、層を構成するプラスチックとしては、ポリエチレンやナイロンが例示できる。
【００３８】
この袋体は、図２に示すように、対向する正面部１１と背面部１２とを有している。なお、この「正面部」及び「背面部」の呼称は説明上のものであり、位置関係がこれにより限定されるものではない。
【００３９】
正面部１１と背面部１２とは、図１における上下端部分においては直接接着されている。そして、図１における左右端部分においては、正面部側の端縁と背面部側の端縁とを連結するようにして襠部１５が設けられており、図２に示すように、正面部１１と襠部１５、そして背面部１２と襠部１５とが各々接着されている。
【００４０】
なお、本実施例では、正面部１１と背面部１２の上記左右端部分の両側に襠部１５が設けられているが、これに限られず、いずれか片側にのみ襠部１５が設けられていても良い。つまり、正面部１１と背面部１２との間の少なくとも一部に、正面部１１の端縁と背面部１２の端縁とを連結するようにして襠部１５が設けられたものであれば良く、襠部１５の位置が限定されるものではない。
【００４１】
正面部１１、背面部１２、襠部１５については透明のシートが用いられたものであっても良いし、不透明のシートが用いられたものであっても良い。また、一部のみを透明のシートとして、この部分を、被収納物品Ｍを外部から確認できる窓部としたものであっても良い。
【００４２】
また、図１に破線で示したように、正面部１１あるいは背面部１２の表面に、被収納物品の内容などを油性ペンなどの筆記具を用いて記載可能な表記部５を備えたものとしても良い。このように表記部５を備えたものとすることにより、被収納物品Ｍの明細を一目で識別することができる。なお、この表記部５は、正面部１１及び背面部１２ではなく、後述の押圧板２における、外部から視認可能な表面に備えたものとしても良い。
【００４３】
シート同士の接着は、本実施例においてはヒートシールによりなされている。よって、各部に用いられる合成樹脂製のシートにおいて、ヒートシールのために重ね合わされた方の片面あるいは片側に存在する層は、例えばポリエチレンなどのヒートシール性を有するプラスチックフィルムが配位されている必要がある。
【００４４】
ここで襠部１５は、図２に示すように、正面部１１及び背面部１２と同様の合成樹脂製のシートが折り目１５ａを境に折り畳み可能に形成されたものである。そして、被収納物品Ｍを収納部１３へと配位した際には、上記の折り目１５ａが延ばされることによって、収納部１３における内部空間を拡張させることができる。本実施例では、図示のように折り目１５ａが１本とされており、二つ折りがなされる。
【００４５】
なお、襠部１５における折り目１５ａの数はこれに限られるものではなく、２本以上を形成しても良い。また、複数の折り目１５ａを形成した場合にあっては、全ての折り目１５ａを平行に設けても良いし、各々角度を持たせて設けても良い。
【００４６】
なお上記のように、正面部１１と背面部１２とは、図１における上下端部分においては直接接着されているが、その上下端部分のうち、正面部１１と背面部１２とに挟まれた襠部１５、より具体的には、折り目１５ａに沿う方向の両端部における襠部１５は、正面部１１に対して接着された端縁１５ｓと、背面部１２に対して接着された端縁１５ｓとが共に接着されている。よって、この上下端部分においては、正面部１１、背面部１２、襠部１５の各々が接着されて一体とされている。このように各部１１，１２，１５が一体とされたことにより、収納部１３に被収納物品Ｍを配位した場合にあっても、この部分において襠部１５が広がってしまうことがなく、美観を損ねてしまうことを防止できる。
【００４７】
本実施例に係る圧縮袋１には、従来の圧縮袋と同様、収納部１３に対して被収納物品Ｍを出し入れ可能な開口部１４が設けられているが、本実施例においてはこの開口部１４が、図２に示すように正面部１１の端縁と襠部１５の端縁との間に設けられている。そして開口部１４には、凸条と凹条との嵌合により気密に閉鎖可能なチャック１４ａが備えられていて、開閉を容易にできるものとされている。また、このチャック１４ａの開閉を補助するために、図１に示すように、開口部１４にスライダー１４ｂを取り付けたものとしても良い。
【００４８】
ここで、図３に示すように、正面部１１の幅寸法が背面部１２の幅寸法よりも大きくされたものとし、この正面部１１と背面部１２とが、幅方向における一端側端縁（図示右端）が一致するようにして対向されており、同他端側端縁に開口部１４が設けられたものとしても良い。
【００４９】
こうすることにより、正面部１１と襠部１５との間における、開口部１４が設けられた部分の位置が、これと対向する位置関係にある、背面部１２の端縁と襠部１５の端縁の位置よりも、幅方向における外側に突出したものとできる。
【００５０】
このように開口部１４が幅方向外側に飛び出たものとすることにより、脱気時において襠部１５が畳まれ、襠部１５の正面部側端縁１５ｂと背面部側端縁１５ｃとが接近あるいは密着した状態となっていても（図２（Ｂ）参照）、各端縁１５ｂ，１５ｃが幅方向に重なり合わないものとできるため、各端縁１５ｂ，１５ｃをわざわざ引き剥がしたりする必要はなく、開口部１４を手で持って開放することが簡単にできる。よって、被収納物品Ｍの出し入れを簡単に行うことができる。
【００５１】
本実施例における圧縮袋１の内部には平板状の押圧板２が配位されている。具体的に、この押圧板２は、図２に示すように、上記収納部１３の内部であって、上記正面部１１及び背面部１２の内面に当接可能に設けられたものである。この押圧板２は、正面部１１及び背面部１２に対して必ずしも接着されている必要はないが、ユーザーに対して２枚の押圧板２の間に被収納物品Ｍを確実に配位してもらうためには、接着しておいた方が望ましい。
【００５２】
また、この押圧板２は、収納部１３が脱気されるに伴い、図２（Ｂ）に示すように、被収納物品Ｍを正面部側と背面部側とから押圧できる程度の剛性を有していることが必要とされる。具体的にはダンボール板やプラスチック板が用いられるが、上記の剛性を有し、軽量な板状体であれば、材質は特に限定されるものではない。
【００５３】
このような剛性を有する押圧板２を用いることにより、収納部１３を脱気した際には、被収納物品Ｍを全面均等に押圧することができる。そのため、被収納物品Ｍが衣服である場合であっても、不規則な皺がつきにくく、美しい状態で保管することができる。特に、従来から存在する圧縮袋においては、脱気を収納部を巻き込むことによって行うこともあり、このことが、被収納物に不規則な皺を付ける原因ともなっていたが、本願発明に係る圧縮袋１では、図２（Ｂ）に矢印で示したように、正面部１１及び背面部１２越しに押圧板２，２同士を接近させるように脱気することが可能であるため、脱気作業に起因する、被収納物品Ｍの皺の発生も防止することができる。
【００５４】
また、脱気後の圧縮袋１をほぼ均等な厚みを有するものとできるため、積み重ねなどが容易にできる。また、押圧板２が上記のように剛性を有するものであることにより、脱気後の圧縮袋１を立てかけて収納することも可能となる。
【００５５】
この押圧板２は収納部１３に配位可能なように、正面部１１及び背面部１２のうち収納部１３の設けられた部分の面積よりも小さいものであれば、大きさが限定されるものではなく、種々の大きさで実施することができる。例えば、収納部の中央部にのみ配位したものであっても良い。この場合においては、正面部１１及び背面部１２のうち収納部１３の設けられた部分の面積に対して５０％以上の面積を有するものとすることが望ましい。
【００５６】
また、本実施例では、正面部１１あるいは背面部１２の片側当たりに１枚の押圧板２を設けたものとしたが、これに限られず、複数の押圧板２を並べて設けたものとしても良い。
【００５７】
また、押圧板２は上記の剛性が確保できるものであれば、形態が限定されるものではなく、例えば、表面にエンボス加工による凹凸が形成されたものや、貫通穴が多数設けられたものであっても良い。
【００５８】
次に、収納部１３の脱気について述べる。この収納部１３の脱気は開口部１４の一部を開放して行っても良いが、収納部１３に連通するようにして設けた脱気弁３を介して行っても良い。ここで、図１に示した圧縮袋１に設けられた脱気弁３は、合成樹脂製シートが組み合わされて形成されたフィルム弁タイプのものとされているが、図５に示したような硬質合成樹脂製の成型弁タイプのものを用いて、正面部１１あるいは背面部１２を貫通するようにして設けても良い。
【００５９】
ここで、フィルム弁タイプの脱気弁３が用いられた場合の一例について説明する。
【００６０】
この例においては、３枚の合成樹脂製シートが重ね合わせられて、脱気弁３を構成している。具体的には、図９（Ａ）に示すように、外装シート３１ａ，３１ｂ、弁体シート３１ｃから構成されている。弁体シート３１ｃは、圧縮袋１の内部寄りの端部が図示下方側の外装シート３１ｂに対して接着されており、圧縮袋１の外部寄りの端部は各外装シート３１ａ，３１ｂ間を自由に移動可能とされている。そして、各シート３１ａ，３１ｂ，３１ｃの幅方向の端部は接着がなされている。
【００６１】
上記の構造により、このフィルム弁タイプの脱気弁３は、脱気時においては、収納部１３から袋外部への気流Ｆによって、図９（Ｂ）に示すように、弁体シート３１ｃが図示下側の外装シート３１ｂに押し付けられ、空気通路が確保される。
【００６２】
一方、脱気が終了した後には、収納部１３の内部が負圧となることにより、弁体シート３１ｃに収納部１３寄りに引き戻されるような力が働く。これにより、図９（Ａ）に示すように、弁体シート３１ｃが図示上側の外装シート３１ａに押し付けられ、空気通路が閉鎖される。
【００６３】
なお、図９は説明のために上下方向を誇張させて描いたものであって、特に図９（Ａ）に示す脱気後の状態では、袋外部の大気圧により、各シート３１ａ，３１ｂ，３１ｃは実際には密着している。
【００６４】
次に、成型弁タイプの脱気弁３が用いられた場合の一例について説明する。
【００６５】
この例において用いられる、成型弁タイプの脱気弁３は、図１０、図１２などに示すように、各々別体に形成された基体３２と蓋体３３と、そして弁体３４から構成されたものである。従来の成型弁タイプの脱気弁よりも構成部材の点数が少なく、簡易な構成とされている。なお、この脱気弁３についての説明においての位置関係に関する表現は、脱気弁３を水平方向に配位したものとして（図１３（Ｂ）参照）、圧縮袋１の外部方向を「上側」、同内部方向を「下側」とする。
【００６６】
基体３２は、図１０に示すものであって、あらじかじめ圧縮袋１に設けられた貫通孔（図示しない）へ装着されることによって、圧縮袋１の脱気口となるものである。
【００６７】
この基体３２は平板状の取付板３２３を備えている。この例では、この取付板３２３が円盤状の形態とされているが、これに限られるものではなく、楕円形や多角形など、種々の形態にて実施し得る。
【００６８】
この取付板３２３は、脱気弁３が圧縮袋１を構成する正面部１１に取り付けられた状態において、図１３（Ｂ）及び図１４（Ｂ）に示すように、上側面が正面部１１の内面に対して当接し、その一部が正面部１１と接着される。
【００６９】
取付板３２３には、図１０（Ａ）（Ｂ）に示すように、上方へと突出する筒状の側壁３２４が設けられている。この例では略円筒状とされている。上記のように、基体３２を圧縮袋１へ装着するに当たり、この側壁３２４は、上記のように正面部１１に設けられた貫通孔を貫通する。そして、正面部１１の貫通孔の周囲と取付板３２３とが気密に接着される。
【００７０】
この例における側壁３２４は、図１０（Ｂ）及び図１１に示すように、外周面にねじ部３２４ａを有する。なお、この例のものに限られず、側壁３２４の内周面にねじ部３２４ａを有するもの、あるいは外周面と内周面との両方にねじ部３２４ａを有するものであっても良い。
【００７１】
この例におけるねじ部３２４ａは、水平方向に対して傾斜した係合溝３２４ａとして形成されている。この係合溝３２４ａに、図１２（Ｂ）に示す、蓋体３３の引掛部３３４の先端爪部３３４ａが係合されることで、図１３及び図１４に示すように、基体３２と蓋体３３とが一体とされる。
【００７２】
この例における係合溝３２４ａは、図１０（Ａ）に示すように、平面視上、取付板３２３の中心に対して１８０°ごとに２つ設けられている。そして、個々の係合溝３２４ａは、平面視上、９０°の範囲の両端に引掛部３３４の先端爪部３３４ａの大きさ分を加えた範囲、つまり、蓋体３３が９０°の範囲で回動可能なように形成されている。また、図１１に示すように、側壁３２４の外周面には、係合溝３２４ａを挟むようにしてクリック用突起３２４ｂが設けられている。このクリック用突起３２４ｂは、基体３２に対して、蓋体３３を最も緩めた位置（開放位置）と最も締め込んだ位置（閉鎖位置）とに対応して設けられている。このクリック用突起３２４ｂは、蓋体３３の先端爪部３３４ａが乗り越えることにより、蓋体３３を、上記の開放位置と閉鎖位置とで固定することができる。なお、蓋体３３の先端爪部３３４ａの内面に、クリック用突起３２４ｂに嵌まる凹部を形成しておき、この凹部とクリック用突起３２４ｂとが嵌合することによって、蓋体３３を固定するものとしても良い。また、係合溝３２４ａの内部にクリック用突起３２４ｂが設けられたものとしても良い。
【００７３】
なお、この例では、基体３２の側に凹部としてのねじ部３２４ａが、蓋体３３の側に凸部としての引掛部３３４が形成されているが、これとは逆に、基体３２の側に凸部が、蓋体３３の側に凹部が形成されたものであっても良く、適宜変更し得る。
【００７４】
取付板３２３のうち、上記の側壁３２４に囲まれた内側部分が隔壁３２１である。この隔壁３２１は、弁体３４と組み合わされることにより、圧縮袋１の内部と外部とを遮断可能とするものである。この例では、隔壁３２１の上側の面が平面とされているが、例えば、すり鉢状の湾曲面であっても良い。そして、この隔壁３２１に圧縮袋１の内部と外部とを通気可能に連絡する脱気口３２２が設けられている。上記のように、基体３２の取付板３２３は、圧縮袋１の正面部１１に対して気密に接着されるため、脱気弁３においては、この脱気口３２２のみにおいて空気が通過することとなる。
【００７５】
この例における脱気口３２２の形状は、図１０（Ａ）（Ｃ）に示すように、取付板３２３及び隔壁３２１の中心に設けられた、平面視が円形状の孔とされている。そして、この孔には、取付板３２３の下側に放射状に形成された整流板３２５のうち一部の延長線上に位置する、直線状の弁支持部３２７が横断して設けられており、この弁支持部３２７により、円の中心を基準に、平面視上、１８０°ごとに２分割されている。なお、この弁支持部３２７は、弁体３４を下方から支持するためのものである。また、脱気口３２２の形状はこの例におけるものに限られるものではない。例えば、弁支持部３２７により平面視上９０°ごとに４分割したものであっても良い。また、小径の孔を多数配置したものとしたり、径方向あるいは周方向に延びるスリット状の孔としても良く、種々の形状で実施が可能である。
【００７６】
また、隔壁３２１の上面には、脱気口３２２を取り囲むようにして上方に突出した凸条であるリブ３２６が形成されている。この例では、このリブ３２６は幅が１mm、高さが０．３mmの突起とされており、脱気口３２２の径方向のすぐ外側において連続して設けられている。このリブ３２６が設けられたことにより、図１３（Ｂ）に示すように、押圧部３３３が弁体３４を上方から押圧した際において、下方からはこのリブ３２６が圧迫するものとでき、これにより弁体３４による脱気口３２２の閉鎖がより確実になされる。なお、このリブ３２６は省略しても良い。
【００７７】
次に、取付板３２３の下面には、下方へと立ち上げられ、図１０（Ｃ）に示すように、取付板３２３の中心を基準として放射状に延びるものであって、かつ、上記中心から遠ざかるにつれて、周方向の一方に湾曲する形状の整流板３２５が備えられている。この例においては、図示のように、径方向で外側へ向かう途中までは取付板３２３の径方向に沿って延びるものであって、途中からは周方向へと徐々に湾曲した板状のものである。
【００７８】
このような形態の整流板３２５を取付板３２３の下面に設けることにより、圧縮袋１の内部から排出される気流のうち、図１０（Ｂ）に示すように、取付板３２３に沿う方向の気流Ｆ１は、図１０（Ｃ）に示すように、整流板３２５に沿って、旋回しながら脱気口３２２へと導かれるため、比較的小さな抵抗で脱気することが可能である。また、整流板３２５が存在することにより、脱気弁３の裏側に位置する背面部１２、あるいは袋内の被収納物品Ｍが吸い寄せられて、脱気口３２２が袋の内側から塞がれ、途中で脱気不能となるような事態を防止することができる。
【００７９】
なお、本願発明においては押圧板２の厚み分、被収納物品Ｍと脱気弁３との間が離されるため、被収納物品Ｍと脱気弁３とが密着して脱気が阻害されてしまうことが起こりにくく、より効率的な脱気が可能である。
【００８０】
次に、図１２を参照しつつ、蓋体３３について説明する。この蓋体３３の上面３３１は、平面、あるいはわずかに湾曲した面とされており、この上面３３１の少なくとも一部が、電気掃除機のノズル先端における吸引口Ｎ（図１４（Ｂ）参照）に当接する対応部３３１ａとされる。そして、この対応部３３１ａには、電気掃除機の吸引口Ｎが当接した際に当該吸引口Ｎの周縁に囲まれる領域に、上下方向に貫通した蓋体側貫通孔３３２を備える。この蓋体側貫通孔３３２は、基体３２の脱気口３２２とほぼ同寸法に対応部３３１ａの中央に形成された中央側貫通孔３３２ａと、中央側貫通孔３３２ａを取り巻くように、４箇所設けられた周辺側貫通孔３３２ｂとからなる。上記基部２の脱気口３２２を通過した気流は、この蓋体側貫通孔３３２を通過して、脱気弁３の外部に排出される。
【００８１】
一方、蓋体３３の下面には、図１２（Ｂ）（Ｃ）に示すように、引掛部３３４が突出している。ここで、引掛部３３４は、図１２（Ｃ）に示すように、底面視上、蓋体３３の上面３３１の中心に対して１８０°ごとに２つ設けられている。
この引掛部３３４の先端には、先端爪部３３４ａが内側を向くように形成されている。この先端爪部３３４ａは、上記のように、基体３２の側壁３２４における外周面に形成された係合溝３２４ａに係合されるものであり、これにより、係合溝３２４ａ内における先端爪部３３４ａの移動可能な範囲に対応して、基体３２に対して蓋体３３が緩む方向及び締まる方向に回動可能となっている。ここで、係合溝３２４ａは、図１１（Ｂ）に示すように、水平方向に対して傾斜しているため、上記回動に伴い、蓋体３３は基体３２に対して上下動する。なお、上記のように、基体３２の係合溝３２４ａが側壁３２４における内周面に形成された場合などにあっては、係合溝３２４ａに係合可能なように、この引掛部３３４の形態も変更がなされる。
【００８２】
ここで、この例における蓋体３３の基体３２に対する回動範囲は、９０°とされている。つまり、蓋体３３を基体３２に対してねじ込む角度は９０°のみである。よって、この例における脱気弁３は、従来存在した成型弁タイプの脱気弁のように、蓋体をねじ込むために蓋体を基体に対して何回転もさせる必要がないため操作が容易である。
なお、この蓋体３３の回動範囲は、３０°〜１８０°の範囲とすることが適当であるが、それ以上の角度として、蓋体３３を数回転させるものであっても良い。
【００８３】
また、蓋体３３の下面であって、上記の引掛部３３４に対して９０°ずれた位置には、回動支持突起３３６が突出して設けられている。この例における回動支持突起３３６は、図１２（Ｃ）に示すように、押圧部３３３の外周側に隣接して設けられている。この回動支持突起３３６は、図１３（Ｃ）に示すように、基体３２に蓋体３３が取り付けられた場合にあって、基体３２の側壁３２４の内面よりも内側に配位されるものであり、これにより、蓋体３３を基体３２に対してぐらつかせずに回動させることができる。
【００８４】
次に、図１２（Ｂ）（Ｃ）に示すように、同じく蓋体３３における、引掛部３３４よりも中心寄りの下面には、押圧部３３３が下方に突出して形成されている。この押圧部３３３は、蓋体３３を係合溝３２４ａに沿ってねじ込み、下方に移動させるに伴い、図１３（Ｂ）（Ｃ）に示すように、弁体３４の周縁部の少なくとも一部を押圧することができる。この例では、図１２（Ｃ）に示すように、環状のものとされている。なお、この例では押圧部３３３の内側に、図１２（Ｃ）に示すように、蓋体３３の上面３３１の中心に対して９０°ごとに４つ設けられた、十字形の連結部３３５が設けられているが、この連結部３３５は必ずしも形成しなくても良い。
【００８５】
弁体３４は、図１４に示すように、基体３２の隔壁３２１と蓋体３３とに囲まれた弁体収容室Ｓに配位されたものである。この弁体収容室Ｓは、詳しくは、側壁３２４と、隔壁３２１と、蓋体３３の押圧部３３３の下端とにより規定されたものである。上記の弁体３４は、弁体３４が、基体３２あるいは蓋体３３に固定されたものではなく、あるいは弾性体などの付勢を受けない自由状態で弁体収容室Ｓ内に配位されている。よって、上記のように蓋体３３が緩められた際に、弁体３４が、弁体収容室Ｓ内を上下方向に移動可能である。また、脱気弁３を圧縮袋１に取り付けた際でも、弾性体などの存在によって圧縮袋１から突出してしまう部分を少なくできる。
【００８６】
弁体３４の平面視の形態については、蓋体３３が緩められた際において、弁体収容室Ｓ内の上下動が可能であれば、円形や多角形など、種々の形態での実施が可能である。また、基体３２における側壁３２４の内周面の寸法に略一致するものとし、水平方向には実質的な移動がなされないものとしても良いし、弁体収容室Ｓ内において水平方向に移動可能な形態としても良い。ただし、弁体３４が水平方向にずれた場合であっても、脱気口３２２の全体を覆うことが可能であり、脱気口３２２の閉鎖について支障がないことを条件とする。
【００８７】
なお、図１３（Ｃ）に示すように、この例における弁体３４の形態は長円形である。寸法は、長径が２４mm、短径が２０mmとされている。
【００８８】
また、弁体収容室Ｓの上下方向の寸法は、少なくとも、弁体３４の水平方向寸法のうち、弁体３４の中心を通る最小寸法（この例では長円形の短径寸法）よりも小さく形成されており、弁体収容室Ｓ内で弁体３４が裏返ってしまうことがなく、弁体３４が確実に動作するものとされている。この例では、弁体収容室Ｓの上下方向の寸法が６mm以下となるようにされており、弁体３４の厚みに比べて大きいため、電気掃除機による吸引時においても、電気掃除機のモーターが過負荷状態とならず、安全性が高い。
【００８９】
この弁体３４は、ゴムなどの軟質の樹脂からなるものであり、電気掃除機の吸引口Ｎを蓋体３３の対応部３３１ａに当接させ、吸引することによって蓋体３３の側へ引き寄せられ、脱気口３２２から離反が可能である。この例における弁体３４には、厚み０．６mmのゴムシートが用いられている。上記のように、弁体３４が自由状態で弁体収容室Ｓ内に配位されていることから、弁体収容室Ｓ内を自由に移動可能なものとされているため、上記の吸引に対する弁体３４の動作に時間差が発生することがなく、速やかな脱気が可能となっている。そして、上記の吸引終了後は、圧縮袋１の内部の負圧と外部の正圧との圧力差によって、速やかに脱気口３２２に密着する。よって、図１４（Ｂ）に示すように蓋体３３を基体３２に締め込まない状態であっても、圧縮袋１内の脱気状態は保たれる。そして更に、蓋体３３が締め付けられた際には、図１３（Ｂ）に示すように、蓋体３３の押圧部３３３によって弁体３４が下方に押え付けられるので、脱気口３２２を封じた状態で確実に維持、固定することができる。
【００９０】
ここで、上記に説明した弁体３４は平板状のものであるが、例えば上方に突出した突出部を備えたものとし、この突出部を蓋体３３の一部に上下動可能に配位するものとしても良い。このようにすることにより、弁体３４を、ほとんど左右方向にずれないものとでき、弁体３４を安定して作動させることができる。
【００９１】
上記の構成に係る脱気弁３が、図５に示すように取り付けられて使用されるが、この圧縮袋１を脱気する際には、被収納物品Ｍを収納部１３に収納した後に開口部１４を閉鎖し、この状態で脱気弁３の基体３２に対して蓋体３３を緩め、図１４（Ｂ）に示すように、蓋体３３の対応部３３１ａに電気掃除機の吸引口Ｎを押し当てて、袋内の空気を脱気口３２２を通じて脱気する。この脱気後の状態においても、弁体３４と脱気口３２２とは、袋内外の圧力差により密着しているため、脱気状態を保持可能であるが、より確実に脱気状態を保持するためには、基体３２に対して蓋体３３をねじ込み、図１３（Ｂ）に示すように、蓋体３３の押圧部３３３により、弁体３４を脱気口３２２に対して強制的に押さえつける。これにより、長期にわたって、その脱気した状態を保持することができる。
【００９２】
なお、図１５に示すように、圧縮袋１の表面に脱気弁３の開閉状態を示す表示が印刷などにより設けられたものとしても良い。具体的には、脱気弁３における蓋体３３の上面３３１に、矢印などの開度指示部３３９が設けられており、脱気弁３の開放状態における開度指示部３３９の位置に一致する正面部１１の表面に開放位置表示部１１ａが設けられ、同じく閉鎖状態における開度指示部３３９の位置に一致する正面部１１の表面に、閉鎖位置表示部１１ｂが設けられたものである。なお、この開度指示部３３９は、図示した例のように蓋体３３の上面３３１に限られず、蓋体３３の表面であって、圧縮袋１の使用者が視認容易な位置であれば、側面など他の位置に設けても良い。また、開度指示部３３９は蓋体３３の成型時に同時に形成されたものであっても良いし、シールの貼り付けや、塗装などにより別個に形成されたものであっても良く、種々の手段で実施し得る。開放位置表示部１１ａ及び閉鎖位置表示部１１ｂについても同様に、シールの貼り付けなど種々の手段で実施し得る。
【００９３】
上記のように開度指示部３３９及び各位置表示部１１ａ，１１ｂが設けられた場合にあっては、圧縮袋１の使用者が脱気弁３の開閉状態を一目で確認することができ、より使いやすい圧縮袋１とすることができる。
【００９４】
なお、脱気弁３として上記のような成型弁を用いた場合にあっては、押圧板２が図１に示したような形態のままであると、収納部１３の内部と脱気弁３との間に壁が存在することとなり、脱気が阻害される。よって、収納部１３の内部と脱気弁３を連通させてスムーズに脱気を行うために、押圧板２において脱気弁３が一致する位置に、図５に示すように、通気可能とされた貫通穴２１が形成されている。この貫通穴２１は、図示のように一つの大きい穴が形成されたもので、図１３（Ｂ）に示すように、脱気弁３の一部がこの貫通穴２１の内部に配位されたものとしても良いし、また、小さな穴が集合したものであっても良い。
【００９５】
次に、被収納物品Ｍが衣服である場合にあっては、しばしば防虫剤を収納部１３に同封することがあるが、本願発明においては、この押圧板２を防虫機能に関連して利用することもできる。
【００９６】
具体的には、押圧板２にブロック状、シート状、あるいは小袋に収納された状態など、まとまって扱うことのできる形態を有する防虫剤を配位することのできる、防虫剤配位部２２を設けたものとする。これにより、防虫剤を防虫剤配位部２２にとどめておくことができ、防虫剤袋内に紛れ込んでしまわないようにできる。この防虫剤配位部２２は、防虫剤を一定の位置にとどめておくことのできるものであれば、その実施形態は限定されるものではない。例えば、補強材２の表面に設けられたポケットやクリップ状の部材、また、粘着面などの種々の形態を採用し得る。
【００９７】
また、押圧板２自体が防虫剤を兼ねるものとしても良い。つまり、押圧板２に防虫成分を含有させ、この防虫成分が表面から放散可能とされたものとする。このような押圧板２を備えた圧縮袋を提供することにより、ユーザーが別途防虫剤を購入する必要がなく、防虫機能を発揮させることが可能であるというメリットを有する。
【００９８】
なお、押圧板２は、上記のように防虫機能を発揮するものに限られず、除菌、防臭、芳香などの種々の機能を発揮させるものとして用いても良い。
【００９９】
また、持手として用いるための貫通穴４１が、上記の正面部と背面部とを貫通するように設けられたものであっても良い。この貫通穴４１は、図４に示すように、手を直接通すことのできるような大きさの穴としても良いし、図５に示すように、紐状体４２あるいは硬質樹脂製などの取手部材を貫通させることのできる大きさの穴としても良い。なお、この貫通穴４１は、収納部１３とは通気不可能に仕切られている必要がある。
【０１００】
具体的には、図４及び図５に示すように、押圧板２とは別の板状体である芯材４を、別途正面部１１と背面部１２との間に挟んだものとし、この芯材４と収納部１３との間において、正面部１１と背面部１２とをヒートシールすることにより仕切シール４ａを設けて通気不能とする。そして正面部１１、背面部１２、芯材４に貫通穴４１が設けられる。なお、上記の芯材４は本願発明においては必須のものではなく、芯材４を省略して、正面部１１と背面部１２とにのみ貫通穴４１を設けても良い。
【０１０１】
なお、上記のように貫通穴４１を設けずに、図６に示すように、プラスチック製のハンガー部材７を圧縮袋１と一体に取り付けて、圧縮袋１を吊り下げ容易としても良い。図６（Ａ）に例示したものは、ハンガー部材７の支持部分７２を、正面部１１及び背面部１２を外側から挟むようにしてヒートシールなどにより接着したものであり、図６（Ｂ）に例示したものは、正面部１１と背面部１２との間にハンガー部材７の支持部分７２を配位した状態で、正面部１１と背面部１２とをヒートシールすることにより、ハンガー部材７が圧縮袋１から外れないようにしたものであるが、これら例示したもの以外にも種々の形態でハンガー部材７を圧縮袋１に取り付けることが可能である。
【０１０２】
また、図６に示したハンガー部材７は、圧縮袋１に対してフック部分７１が固定された構造とされているが、例えばフック部分７１と支持部分７２との間が回動可能な構造とされたことにより、フック部分７１を、クローゼットの吊り棒など、圧縮袋１を吊り下げる相手方に合わせて適宜回動させることのできるものとしても良い。
【０１０３】
このように可動式であるハンガー部材７を取り付けた圧縮袋１の例を図７に示す。このハンガー部材７は、図８に示すような形態であって、フック部分７１と袋内吊りリング７３とを備えており、このハンガー部材７の支持部分７２はブロック状の中央部７２ａ、上側ジョイント７２ｂ、下側ジョイント７２ｃが一体とされたものである。
【０１０４】
上記の中央部７２ａは、図示上下方向に貫通する空間部を有していないものであり、図７に示すように、正面部１１と背面部１２との間に挟まれてヒートシールされることにより、正面部１１と背面部１２との間を気密状態としつつ、ハンガー部材７を袋の内外に貫通させることができる。
【０１０５】
そして、上側ジョイント７２ｂにはフック部分７１の下端部７１ａが差し込まれたことにより、支持部分７２に対してフック部分７１が回動可能とされる。また同じく、下側ジョイント７２ｃには袋内吊りリング７３の上端部７３ａが差し込まれたことにより、支持部分７２に対して袋内吊りリング７３が回動可能とされる。図８に示すように、フック部分７１の下端部７１ａ及び袋内吊りリング７３の上端部７３ａは楔状になっており、各々が支持部分７２に差し込まれた後は容易に抜けることがないものとされている。
【０１０６】
上記の構成のうち、特に袋内吊りリング７３が圧縮袋１に対して可動であるため、ハンガーに吊るした状態とされた被収納物品Ｍを、このハンガーを袋内吊りリング７３に引掛けることによりそのまま吊り下げることが可能である。つまり、圧縮袋１をいちいち床面などに置いた状態とせずとも、クローゼットなどに吊り下げた状態そのままで被収納物品Ｍを収納することができ、使い勝手が良い。また、袋内吊りリング７３を回動させることにより、例えばクリーニング店などで用いられている、可動部分のない簡易な構造のハンガーであっても無理なく吊り下げが可能である。
【０１０７】
なお、上記の構成においては、フック部分７１と袋内吊りリング７３の両方が支持部分７２に対して可動であるものであったが、いずれか一方のみが支持部分７２に対して固定されたものであっても良い。
【０１０８】
また、面ファスナー付テープ６が備えられたものとし、この面ファスナー付テープ６を、図４に示すように、圧縮袋１の外周に巻きつけて用いても良い。このように面ファスナー付テープ６を圧縮袋１の外周に巻きつけることにより、この面ファスナー付テープ６を持手として使用することができる。また、複数の圧縮袋１をまとめることもできる。また、長期に渡る保存によって、収納部１３の脱気状態が失われた場合であっても、圧縮袋１の膨張をある程度は抑えることができるという種々のメリットを有する。
【図面の簡単な説明】
【０１０９】
【図１】本願発明の一実施例に係る圧縮袋を示す正面図である。
【図２】（Ａ）は図１におけるＡ−Ａ矢視端面図であり、（Ｂ）は被収納物品を収納部に入れて脱気中の状態を示す、同端面図である。
【図３】他の実施例に係る、図１におけるＡ−Ａ矢視に相当する端面図である。
【図４】本願発明の他の実施例に係る圧縮袋を示す正面図である。
【図５】本願発明の他の実施例に係る圧縮袋を示す正面図である。
【図６】（Ａ）（Ｂ）とも、本願発明の他の実施例に係る圧縮袋にハンガーを取り付けた状態を示す要部の正面図である。
【図７】本願発明の他の実施例に係る圧縮袋を示す正面図である。
【図８】図７の圧縮袋に用いられる、可動式のハンガーを示す正面図である。
【図９】本願発明において用いられる、フィルム弁タイプの脱気弁の一例を示す、図１におけるＢ−Ｂ矢視端面図であり、（Ａ）は閉鎖時を示し、（Ｂ）は脱気時を示す。
【図１０】本願発明において用いられる、成型弁タイプの脱気弁の一例を示し、（Ａ）は基体を示す平面図、（Ｂ）は同Ｃ−Ｃ矢視断面図、（Ｃ）は同底面図である。
【図１１】同成型弁タイプの脱気弁の一例を示し、（Ａ）は基体における側壁を示す要部拡大平面図であり、（Ｂ）は同要部拡大側面図である。
【図１２】同成型弁タイプの脱気弁の一例を示し、（Ａ）は蓋体を示す平面図であり、（Ｂ）は同Ｄ−Ｄ矢視断面図、（Ｃ）は同底面図である。
【図１３】同成型弁タイプの脱気弁の一例を示し、（Ａ）は脱気弁の閉鎖状態における平面図であり、（Ｂ）は同Ｅ−Ｅ矢視断面図であり、（Ｃ）は同Ｆ−Ｆ断面要部拡大図である。
【図１４】同成型弁タイプの脱気弁の一例を示し、（Ａ）は脱気弁の開放状態における平面図であり、（Ｂ）は同Ｇ−Ｇ組合せ断面図である。
【図１５】同成型弁タイプの脱気弁を取り付けた圧縮袋であって、袋に開閉表示を付加したものを示す部分拡大正面図である。
【符号の説明】
【０１１０】
１１      正面部
１２      背面部
１３      収納部
１４      開口部
１４ａ    チャック
１５      襠部
１５ａ    折り目
１５ｓ    端縁
２        押圧板
２１      貫通穴
２２      防虫剤配位部
３        脱気弁
４１      貫通穴
５        表記部
６        面ファスナー付テープ
７        ハンガー部材
７１      フック部分
７２      支持部分
７３      袋内吊りリング
Ｍ        被収納物品
【図１】
2009023700.tif 000003
【図２】
2009023700.tif 000004
【図３】
2009023700.tif 000005
【図４】
2009023700.tif 000006
【図５】
2009023700.tif 000007
【図６】
2009023700.tif 000008
【図７】
2009023700.tif 000009
【図８】
2009023700.tif 000010
【図９】
2009023700.tif 000011
【図１０】
2009023700.tif 000012
【図１１】
2009023700.tif 000013
【図１２】
2009023700.tif 000014
【図１３】
2009023700.tif 000015
【図１４】
2009023700.tif 000016
【図１５】
2009023700.tif 000017